(57)【要約】【課題】薬効及び美観を維持可能な薬剤揮散器を提供する。【解決手段】本発明の薬剤揮散器１は、開口３０を有する容器３と、容器３の内部に貯留される液状薬剤２と、長手形状を呈しており、容器３内に挿入されて使用される揮散体４と、容器３の内部に装填される複数の固形物５とを有している。【選択図】図１
2020103744.tif 000002
【特許請求の範囲】
【請求項１】
開口を有する容器と、
前記容器の内部に貯留される液状薬剤と、
長手形状を呈しており、容器内に挿入されて使用される揮散体と、
前記容器の内部に装填される複数の固形物とを有する薬剤揮散器。
【請求項２】
前記複数の固形物には、前記液状薬剤中に没して前記容器の底に位置する沈下物が含まれる、請求項１に記載の薬剤揮散器。
【請求項３】
前記複数の固形物には、前記液状薬剤中を浮遊する浮遊物が含まれる、請求項１又は２に記載の薬剤揮散器。
【請求項４】
前記複数の固形物には、前記液状薬剤の液面に浮く浮上物が含まれる、請求項１乃至３のいずれかに記載の薬剤揮散器。
【請求項５】
前記複数の固形物の固形物は、天然石、人工石、植物の花、植物の葉、植物の茎、樹脂成形物、及びガラス成形物のうちの１種以上から構成される請求項１乃至４のいずれかに記載の薬剤揮散器。
【発明の詳細な説明】
【技術分野】
【０００１】
本発明は、容器内の液状薬剤を複数の揮散体により吸い上げて、容器外に揮散する薬剤揮散器に関する。
【背景技術】
【０００２】
室内や車内などの空間の臭気による不快感をなくして、快適な空間を生み出すために、液状薬剤を揮散させる薬剤揮散器が使用されている。この種の薬剤揮散器として、例えば特許文献１，２には、液状薬剤を収容した容器内に複数の棒状の揮散体を挿入したものが開示されている。特許文献１，２の薬剤揮散器は、各揮散体の下端側部分が液状薬剤に浸漬する一方で、各揮散体の上端側部分は容器の上部開口から突き出ており、容器内の液状薬剤を各揮散体により吸い上げて容器外に揮散することで、芳香効果などの薬効を発揮する。
【０００３】
薬剤揮散器は、リビングや玄関などの人の目に触れる場所に設置される場合が多いため、近年、薬剤揮散器の美観（インテリア性）を高めることがニーズとされている。このニーズに関し、特許文献１，２に開示される薬剤揮散器では、複数の揮散体の上端側部分が容器の上部開口から放射状に突出するように、複数の揮散体の下端側部分を容器内に挿入することで、複数の揮散体の上端側部分が花びらのような豪華な印象を与えるものとなり、美観（インテリア性）を高めることができる。
【先行技術文献】
【特許文献】
【０００４】
【特許文献１】特開２０１１−００４８６７号公報
【特許文献１】特開２０１５−０６５９４１号公報
【発明の概要】
【発明が解決しようとする課題】
【０００５】
ところで、特許文献１，２の薬剤揮散器が使用される間では、液状薬剤の吸い上げによって、容器から突出する揮散体の上端側部分は、表面が濡れることになる。そして例えば、薬剤揮散器が置かれた家具が揺れたり、薬剤揮散器を移動させるなどして、揮散体が動いてしまい、揮散体同士の間隔が狭くなった場合には、濡れた揮散体の表面張力によって、揮散体同士がくっつくことが生じ得る。揮散体同士がくっついた場合には、揮散体がみすぼらしい印象を与えるものになることで、薬剤揮散器の美観（インテリア性）が損なわれる。また揮散体から揮散される薬剤の量が少なくなることで、薬剤揮散器の薬効（芳香効果等）も低減する。
【０００６】
本発明は、上記課題を解決するためになされたものであり、その目的は、容器内の液状薬剤を複数の揮散体により吸い上げて、容器外に揮散する薬剤揮散器であって、薬効及び美観を維持可能な薬剤揮散器を提供することである。
【課題を解決するための手段】
【０００７】
本発明の薬剤揮散器は、開口を有する容器と、前記容器の内部に貯留される液状薬剤と、長手形状を呈しており、容器内に挿入されて使用される揮散体と、前記容器の内部に装填される複数の固形物とを有する。
【０００８】
また、本発明の薬剤揮散器では、前記複数の固形物に、前記液状薬剤中に没して前記容器の底に位置する沈下物が含まれることが好ましい。
【０００９】
また、本発明の薬剤揮散器では、前記複数の固形物に、前記液状薬剤中を浮遊する浮遊物が含まれることが好ましい。
【００１０】
また、本発明の薬剤揮散器では、前記複数の固形物に、前記液状薬剤の液面に浮く浮上物が含まれることが好ましい。
【００１１】
また、本発明の薬剤揮散器では、前記複数の固形物の固形物は、天然石、人工石、植物の花、植物の葉、植物の茎、樹脂成形物、及びガラス成形物のうちの１種以上から構成されることが好ましい。
【発明の効果】
【００１２】
本発明によれば、揮散体が固形物に接するように、揮散体を容器内に挿入すれば、固形物によって揮散体の動きを規制することができる。これにより、美観及び薬効が高まるように容器に挿入した当初の揮散体の形態を維持できる。
【図面の簡単な説明】
【００１３】
【図１】本実施形態に係る薬剤揮散器の斜視図である。
【図２】揮散体を、長手方向に垂直な面で、切断した状態を示す断面図である。
【図３】容器の内部に装填される固形物の例を示す薬剤揮散器の概略断面図である。
【図４】容器の内部に装填される固形物の例を示す薬剤揮散器の概略断面図である。
【図５】容器の内部に装填される固形物の例を示す薬剤揮散器の概略断面図である。
【図６】容器の内部に装填される固形物の例を示す薬剤揮散器の概略断面図である。
【発明を実施するための形態】
【００１４】
以下、本発明の実施形態について、添付図面を参照して説明する。図１は、本発明の一実施形態に係る薬剤揮散器１の概略構成を示している。
【００１５】
薬剤揮散器１は、開口３０を有する容器３と、容器３の内部に貯留される液状薬剤２と、液状薬剤２を吸い上げることが可能な構造を有する長手形状物であり、上端側部分が開口３０より突き出た状態で下端側部分が容器３内の液状薬剤２に浸漬される複数の揮散体４と、容器３の内部に装填される複数の固形物５とを有している。薬剤揮散器１では、容器３内の液状薬剤２が、複数の揮散体４により吸い上げられることで、液状薬剤２が容器３の外部に揮散する。
【００１６】
本実施形態では、図１に示すように、複数の揮散体４の上端側部分が容器３の開口３０から放射状に突出するように、複数の揮散体４が容器３内に挿入される。これにより、複数の揮散体４の上端側部分が豪華な印象を与えるものとなり、薬剤揮散器１の美観（インテリア性）を高めることができる。また図１に示すように複数の揮散体４の上端側部分を放射状に離れたものとすれば、各揮散体４における揮散面積が大きくなるので、各揮散体４から揮散される薬剤２の量を多くすることができる。したがって、薬剤揮散器１の薬効も高めることができる。そして本実施形態では、薬剤揮散器１の薬効及び美観を維持すべく、複数の固形物５が容器３の内部に装填される。以下、薬剤揮散器１が備える構成の詳細について説明する。
【００１７】
液状薬剤２は、揮散性（薬効徐放性）を有し、空気中に徐々に薬剤を揮散することで薬効を奏するものである。液状薬剤２は、例えば芳香剤、消臭剤、防虫剤などを例示することができるが、特に限定されるものではなく、使用目的に応じて、香料、消臭剤成分、防虫剤成分、着色料などを単独又は組み合わせて含ませることができる。液状薬剤２に含まれる溶媒は、使用される添加剤の種類に応じて適宜選択され、親水性溶媒又は親油性溶媒、あるいはこれらの混合物とすることができる。液状薬剤２が香料を含む場合には、その香り強度を高めるために、溶媒として少なくとも親油性溶媒を含むことが好ましい。親水性溶媒としては、例えば、水又はエタノール、あるいはこれらの混合物を使用することができる。親油性溶媒としては、例えば、グリコールエーテル又はイソパラフィン系溶媒、あるいはこれらの混合物を使用することができる。なお、液状薬剤２には、香料、消臭成分、防虫成分、着色料などを可溶化させるために、溶解剤が含まれていてもよい。
【００１８】
容器３は、上部に開口３０を有し、内部に液状薬剤２の収容空間を有する有底の容器３である。本実施形態では図１に示すように、容器３は、開口３０を有する首部３１と、首部３１に連続する肩部３２と、肩部３２に連続する中空の胴部３３と、胴部３３の下部に連続する底部３４とで構成されている。底部３４は、中央部分が外周部分よりも上方にドーム状に隆起しており、中央部分から外周部分に向かうに連れて高さが低くなっている。これにより、使用に伴い容器３内の液状薬剤２の量が残り僅かになると、底部３４の内底面の高さの低い外周部分に液状薬剤２が貯まるので、残りの液状薬剤２を確実に揮散体４により吸い上げ可能となる。
【００１９】
なお、容器３の形状は、特に限定されるものではなく、上部に開口３０を有しかつ内部に液状薬剤２が収容可能であれば種々の形状の容器３を用いることができる。例えば、胴部３３の外周面が全周にわたって凹凸が交互に繰り返す凹凸面であってもよい。
【００２０】
容器３は、透明又は半透明である。また、容器３は、無色及び有色のいずれであってもよい。なお、半透明とは、透明度が完全に透明ではないが、内部を視認することが可能な透明度を有していることをいう。容器３は、外部から容器３内を視認可能であるため、例えば容器３内の液状薬剤２の残量を確認することができる。容器３は、内部視認性を高めるためには無色透明であることが好ましい。容器３の材質は、特に限定されるものではなく、例えばガラス製やプラスチック製とすることができるが、美観の観点からはガラス製であることが好ましい。
【００２１】
揮散体４は、ガラス或いは樹脂から形成されたものである。樹脂は、例えばポリカーボネート、アクリル樹脂、ポリプロピレン、ポリエチレン、低密度ポリエチレン、フッ化ビニリデン、ポリアミド、ポリスチレン、塩化ビニルである。
【００２２】
揮散体４は、長手形状を呈しており、本実施形態では棒状を呈している。長手形状とは、一方向における長さが、前記一方向と直交する方向における長さよりも十分に長い形状をいう。なお、揮散体４は、必ずしも棒状を呈している必要はなく、例えば細長い板状を呈していてもよい。
【００２３】
図２は、揮散体４を、長手方向に垂直な面で、切断した状態を示している。図２に示すように、揮散体４は、軸部４１と、軸部４１の外周面から放射状に突き出る複数の突条４２とを備えている。各突条４２は軸部４１の外周面を長手方向に延びており、周方向に隣り合う突条４２の間に微細な筋状の溝４０が存在する。溝４０は液状薬剤２の流路となるものであって、揮散体４では、毛細管現象によって液状薬剤２が溝４０に沿って長手方向に吸い上げられ、当該吸い上げられた液状薬剤２が揮散する。
【００２４】
なお、軸部４１の横断面の外形は、必ずしも円形状である必要はなく、楕円形状、三角形状や四角形状などの多角形状など、種々の形状とすることができる。また、揮散体４の溝４０の幅Ｗ（溝底４０Ａにおける幅）は、特に限定されるものではないが、常温で液状薬剤２を迅速に吸い上げることができるように、０．０１ｍｍ以上０．１５ｍｍ以下とすることが好ましい。また、揮散体４の溝４０の深さ（軸部４１の外周面からの突条４２の高さ）Ｈも、特に限定されるものではないが、溝４０が深すぎると突条４２が折れやすくなる一方で、溝４０が浅すぎると吸い上げることができる液状薬剤２が少なくなるため、０．１ｍｍ以上１．０ｍｍ以下とすることが好ましい。また、揮散体４は、液状薬剤２を好適に吸い上げることができれば、複数の溝４０に代えて、或いは複数の溝４０に加えて、他の液状薬剤２の流路を備えていてもよい。例えば図２に示すように、揮散体４を中空構造とすることで、揮散体４の内部の長手方向に延びる空洞４３を液状薬剤２の流路とすることができる。この場合には、揮散体４の内周面に微細な溝をさらに設けてもよい。
【００２５】
また揮散体４は、図２に示すものに限定されず、長手形状に加工した籐（ラタン）やポリマー繊維であってもよい。この場合、籐（ラタン）やポリマー繊維の吸液により液状薬剤２が揮散体４の長手方向に吸い上げられて、当該吸い上げられた液状薬剤２が揮散する。
【００２６】
籐（ラタン）やポリマー繊維の形状は、長手形状であれば特に限定されず、例えば、棒状或いは細長い板状であってよい。棒状としては、円柱状や、三角柱状、四角柱状、六角柱状等の多角柱状が挙げられ、円柱状が好ましい。
【００２７】
ポリマー繊維の素材としては、揮散できる素材であれば特に限定されないが、例えば、ナイロン、ポリエステル、アクリル、ビニロン、ポリオレフィン（ポリプロピレン、ポリエチレン等）、ポリウレタン等の合成繊維が挙げられる。なお、耐熱性、耐薬性の観点から、ポリエステル或いはポリウレタンの繊維を使用することが好ましい。
【００２８】
また、揮散体は、ドライ加工された植物であってもよい。この場合、装飾性を高めるために、揮散体は、植物としての器官、例えば茎、葉、花、果実などの外部形態が残るものであることが好ましい。
【００２９】
なお、揮散体４の長さ（長手方向の大きさ）は、上端側部分が容器３の開口３０から突き出て、下端が容器３の底面（好ましくは底面の外周部分）に達する長さであれば、特に限定されるものではない。なお、揮散体４と固形物５との接触面積を大きくして揮散体４の動きを規制する観点から、揮散体４の長さを、８ｃｍ以上とすることが好ましく、１０ｃｍ以上とすることがより好ましく、１２ｃｍ以上とすることがさらに好ましい。また揮散体４の動きを規制する観点から、揮散体４の長さを、４０ｃｍ以下とすることが好ましく、３０ｃｍ以下とすることがより好ましく、２０ｃｍ以下とすることがさらに好ましい。
【００３０】
また、揮散体４の太さも、特に限定されるものではないが、揮散体４の表面張力によって揮散体同士４，４がひっつくことを防止する観点から、揮散体４の太さを、６ｍｍ以下とすることが好ましく、５ｍｍ以下とすることがより好ましく、３ｍｍ以下とすることがさらに好ましい。また、揮散体４における揮散面積を大きくする観点から、揮散体４の太さを、０．５ｍｍ以上とすることが好ましく、０．８ｍｍ以上とすることがより好ましく、１ｍｍ以上とすることがさらに好ましい。なお、揮散体４の太さは、揮散体４の横断面が内接する円の直径で定義することができる。
【００３１】
容器３の内部に装填される複数の固形物５は、「揮散体４の動き」を規制可能なものである。「揮散体４の動き」とは、「揮散体４の位置或いは傾きが変わること」を意味する。「揮散体４の位置が変わる」とは、例えば、「容器３の開口３０の縁、容器３の底面、或いは他の揮散体４によって支持される揮散体４の位置が変わること」を意味する。「揮散体４の傾きが変わる」とは、例えば、「水平面に対する揮散体４の長手方向の角度が、緩やか或いは急になること」を意味する。
【００３２】
容器３の内部に装填される複数の固形物５は、例えば、天然石、人工石、植物の花、植物の葉、植物の茎、樹脂成形物、及びガラス成形物のうちの少なくとも１種以上から構成される。また、天然石やガラス成型物など光を屈折、反射するようなものは、きらきらと光り、美観を向上させることができるので、好ましい。
【００３３】
上記の天然石は、例えば、アイオライト、アイスクリスタル、アクアオーラ、アクアマリン、アクチノライト、アゲート、アジュライト、アゼツライト、アパタイト、アフリカンストロベリークォーツ、アベンチュリン、アポフィライト、アマゼツ、アマゾナイト、アメジスト、アメトリン、アラゴナイト、アンデシン、アンバー、アンモライト、イエローオパール、インカローズ、インフィナイト、インペリアルトパーズ、エクリプス、エメラルド、エレスチャル、エンジェライト、エンジェルシリカ、オニキス、オパール、オブシディアン、オレンジガーネット、オレンジムーンストーン、オレンジルチルクォーツ、オーソクレース、オーラライト-23、カイヤナイト、カクタスクォーツ、カコクセナイト、カバンサイト、カルサイト、カルセドニー、カンポ・デル・シエロ、カーネリアン、ガンジスクォーツ、ガーデンクォーツ、ガーネット、キャストライト、ギベオン、クリソコラ、クリソプレーズ、クロムダイオプサイド、クンツァイト、グリーンアゲート、グリーンガーネット、グリーントルマリン、グリーンファントムクォーツ、グリーンルチルクォーツ、グレームーンストーン、ケセラストーン、ケーツーブルー、コスモオーラ、ゴシュナイト、ゴールデンスキャポライト、コンドライト、サファイア、サルファー、サンストーン、サードオニクス、シトリン、シャーマナイト、シュンガイト、シルキークォーツ、シルバールチルクォーツ、ジェムシリカ、ジャスパー、ジンカイト、スキャポライト、スギライト、スコレサイト、スコロライト、スタウロライト、ストロベリークォーツ、スピネル、スフェーン、スモーキークォーツ、スーパーセブン、セプタリアン、セラフィナイト、セレスタイト、セレナイト、ソーダライト、タイガーアイ、タンザナイト、タンジェリンクォーツ、ターコイズ、ダイオプテーズ、ダイヤモンド、ダンビュライト、チャロアイト、チューライト、ティファニーストーン、テクタイト、テラヘルツ鉱石、デザートローズ、デンドリティッククォーツ、トパーズ、トルマリン、ネフライト、ハイパーシーン、ハックマナイト、ハーキマーダイヤモンド、バリサイト、パイライト、ヒーラーズゴールド、ピンクオパール、ピンクトルマリン、ピータサイト、ファイアークォーツ、ファントムクォーツ、フリントストーン、フローライト、ブラックスター、ブラックトルマリンインクォーツ、ブラックトルマリン、ブラックルチルクォーツ、ブラッドストーン、ブルーオパール、ブルールチルクォーツ、ブルーレースアゲート、プラジオライト、プラチナクォーツ、プレナイト、ヘマタイト、ヘミモルファイト、ヘリオドール、ペリステライト、ペリドット、
ホワイトガーデンクォーツ、ホークスアイ、ボージーストーン、マグネサイト、マザーオブパール、マラカイト、マリアライト、ミルキークォーツ、ムーンストーン、メタモルフォシス、モスコバイト、モリオン、モリブデナイト、モルガナイト、モルダバイト、ユナカイト、ユーディアライト、ユーパーライト、ライトニングクォーツ（雷水晶）、ラピスラズリ、ラブラドライト、ラリマー、リビアングラス、ルチルクォーツ(ルチレイテッドクォーツ)、ルビー、ルビーインゾイサイト（アニョライト）、レインボーオーラ、レインボームーンストーン（ホワイトラブラドライト）、レッドアゲート、レッドファントムクォーツ、レッドルチルクォーツ、レムリアンシードクリスタル、レモンクォーツ、ローズクォーツ、ローゾフィア、ロードナイト、ワイルドホース、北投石、天眼石、姫川薬石、本翡翠（ジェダイト）、水晶（クォーツ）、珪化木（ペトリファイドウッド）、白翡翠、自然銅、赤水晶等である。
【００３４】
上記の人工石は、合成石、人造石、或いは模造石である。合成石は、天然石と同一の化学特性、物理特性、結晶構造を有する石である。人造石は、天然石にはない化学組成、物理特性、結晶構造を有するものであり、代表的なものとして、アルミニウム・ガーネット、イットリウム、キュービックジルコニア等があげられる。模造石は、色調・外観が天然石に類似するが、ガラスやプラスチック等から形成されて、光学特性、物理特性及び化学特性が天然石と異なるものである。
【００３５】
上記の樹脂成形物は、例えば、ビーズと称される「球形物又は球形に似た形の物」である。上記のガラス成形物は、例えば、ビー玉と称される球形物、或いはビーズと称される「球形物又は球形に似た形の物」である。
【００３６】
なお樹脂成形物やガラス成形物は、例えば、花、葉、茎、草などの植物に似せた造形物、樹木に似せた造形物、動物に似せた造形物、昆虫に似せた造形物、果物に似せた造形物、ヒトデやサンゴなどの水生生物（海洋生物も含む）に似せた造形物、星、月、惑星などに似せた造形物であってもよい。
【００３７】
また樹脂成形物やガラス成形物の形態は、特に限定されるものではなく、シート状であってもよいし、立体形状であってもよい。シート状は、天然繊維や合成樹脂繊維などからなる不織布や織物で構成できる。立体形状は、合成樹脂やガラスなどの成形品で形成することができる他、シートを折り曲げて立体形状を形成することもできる。  
【００３８】
図３〜図６は、容器３の内部に装填される固形物５の例を示す薬剤揮散器１の概略断面図である。
【００３９】
図３に示すように、容器３の内部に装填される複数の固形物５には、液状薬剤２中に没して容器３の底に位置する沈下物５Ａが含まれてもよい。沈下物５Ａは、例えば、天然石、人工石、植物の茎、樹脂成形物、ガラス成形物等である。人工物である沈下物５Ａ（人工石、樹脂成形物、ガラス成形物など）は、例えば、乾燥時の比重が液状薬剤２の比重よりも大きくなるように形成される。なお、当該沈下物５Ａの比重は、例えば液状薬剤２の比重の１．１倍よりも大きくすることができる。
【００４０】
或いは図４に示すように、容器３の内部に装填される複数の固形物５には、液状薬剤２中を浮遊する浮遊物５Ｂが含まれてもよい。「浮遊」とは、「液状薬剤２の液面と容器３の底面との間を漂うこと」を意味する。浮遊物５Ｂは、例えば、植物の花、植物の葉、植物の茎、樹脂成形物などである。人工物である浮遊物５Ｂ（樹脂成形物など）は、例えば、乾燥時の比重が液状薬剤２の比重と同等となるように形成される。比重が同等とは、固形物５及び液状薬剤２の比重が同じ、又は、比重に差があるとしてもその差が固形物５が浮かび上がったり沈んだりするほど大きくはないことを意味する。浮遊物５Ｂの比重は、例えば液状薬剤２の比重の０．９倍以上１．１倍以下の範囲内にすることができる。
【００４１】
或いは図５に示すように、容器３の内部に装填される複数の固形物５には、液状薬剤２の液面に浮かぶ浮上物５Ｃが含まれてもよい。浮上物５Ｃは、例えば、植物の花、植物の葉、植物の茎、樹脂成形物などである。人工物である浮上物５Ｃ（樹脂成形物など）は、例えば、乾燥時の比重が液状薬剤２の比重よりも小さくなるように形成される。なお浮上物５Ｃの比重は、例えば液状薬剤２の比重の０．９倍よりも小さくすることができる。
【００４２】
或いは図６に示すように、容器３の内部に装填される複数の固形物５は、沈下物５Ａ、浮遊物５Ｂ、及び浮上物５Ｃのうち、２種以上から構成されてもよい（図７では、複数の固形物５が、沈下物５Ａと浮遊物５Ｂと浮上物５Ｃとから構成される例を示している）。
【００４３】
なお、上述した液状薬剤２の比重は、標準比重計（１−５６５９（小型）、日本計量器工業株式会社製）を用いて室温（２５℃）で測定することができる。例えば液状薬剤２の比重が０．９４〜１．００のときはＮｏ．５を、比重が１．００〜１．０６のときはＮｏ．６を、１．０６〜１．１２のときはＮｏ．７を、１．１２〜１．１８のときはＮｏ．８を、１．１８〜１．２４のときはＮｏ．９を、１．２４〜１．２８のときはＮｏ．１０の比重計をそれぞれ用いる。具体的には、容量が１００ｍｌのメスシリンダーに１００ｍｌの液状薬剤２を入れ、その液状薬剤２に比重計を浮かべ、比重計が安定して浮かんだ状態で、液面と比重計の黒線との交点の数値を読み取ることで比重を測定する。
【００４４】
また、上述した固形物５の比重は、目盛りの細かい（例えば０．２ｍｌ）メスシリンダーに蒸留水を一定量入れた後、その蒸留水に固形物５を浸るまで入れて目盛りの増加分（固形物５の体積）を読み取り、予め測定した乾燥状態の固形物５の重量と読み取った目盛りの増加分（固形物５の体積）とにより算出することができる。
【００４５】
また、固形物５は、液状薬剤２を実質的に吸収しない性質を有していることが好ましい。固形物５が液状薬剤２を実質的に吸収しないことで、固形物５は液状薬剤２とともに容器３内に収容されてもその比重がほとんど変化せず、液状薬剤２中における固形物５の状態（上述した浮上、浮遊又は沈下の状態）を薬剤揮散器１の使用終期まで維持することができる。なお、固形物５の液状薬剤２を実質的に吸収しない性質とは、液状薬剤２を全く吸収しないことに加え、液状薬剤２を多少は吸収するが、吸収しても液状薬剤２中における固形物５の状態（上述した浮上、浮遊又は沈下の状態）を薬剤揮散器１の使用終期まで維持できる程度までを許容するものである。
【００４６】
なお、固形物５は、必ずしも液状薬剤２を実質的に吸収しない性質を有している必要はなく、液状薬剤２を吸収する性質を有していてもよい。この場合には、乾燥状態では固形物５はその比重が液状薬剤２の比重よりも小さくて液状薬剤２の液面に浮くが、液状薬剤２を吸収することで固形物５が液状薬剤２中を浮遊する、もしくは容器３の底に沈むようになってもよい。また、乾燥状態では固形物５はその比重が液状薬剤２の比重と同等で液状薬剤２中を浮遊するが、液状薬剤２を吸収することで固形物５が容器３の底に沈むようになってもよい。
【００４７】
以上説明した本実施形態の薬剤揮散器１によれば、上述したように、例えば複数の揮散体４の上端側部分が放射状に離れるように、複数の揮散体４を容器３内に挿入することで、美観（インテリア性）及び薬効を高めることができる（図１参照）。そして揮散体４が固形物５に接するように、揮散体４を容器３内に挿入すれば、固形物５によって揮散体４の動きを規制することができる。これにより、揮散体４の表面張力によって揮散体同士４，４がくっつくことが防止されるので、美観及び薬効が高まるように容器３に挿入した当初の揮散体４の形態を維持できる。
【００４８】
なお本発明は、薬剤揮散器１の美観が高い形態を、上記の「揮散体４の上端側部分が放射状に離れる形態」に限定するものではない。例えば、容器３の開口３０の周方向に複数の揮散体４が離れるように、複数の揮散体４を垂直に立設させてもよい。この場合、複数の揮散体４が整然とした印象を与えるものとなるので、薬剤揮散器１の美観（インテリア性）を高めることができる。また上記のように揮散体４を立設させる場合でも、揮散体同士４，４を離すことができるので、薬剤揮散器１の薬効も高めることができる。そして上記のように複数の揮散体４を垂直に立設させる場合でも、揮散体４を固形物５（固形物）に接するものとすれば、揮散体４の動きを規制できるので、薬剤揮散器１の美観及び薬効を維持できる。
【００４９】
また図３に示すように、容器３の内部に沈下物５Ａが装填される場合には、沈下物５Ａが揮散体４に接する位置と、揮散体４が上部開口３０の縁に接する位置との間の距離Ｌ（図３参照）が大きくなる。したがって、「てこの原理」により、揮散体４は、「上部開口３０の縁を支点とする動き」の生じにくいものとなる。このため、揮散体４の動きを規制する効果を高めることができる。なお、沈下物５Ａの重量を揮散体４の重量よりも大きくすると本発明の効果を発揮しやすく好ましい。
【００５０】
また図４や図６に示すように、容器３の内部に浮遊物５Ｂが装填される場合には、薬剤揮散器１を横から又は正面から見た際に薬剤揮散器１内の浮遊物５Ｂがよく見えるので、浮遊物５Ｂとして装飾性の高いものを使用することで、薬剤揮散器１の美観を向上させることができる。また、浮遊物５Ｂは、浮遊しているので、ゆらぎを表現することが出来る。
【００５１】
また図５や図６に示すように、容器３の内部に浮上物５Ｃが装填される場合には、液状薬剤２の液面全体に浮上物５Ｃを分散させれば、液状薬剤２の液面は、「揮散体４の動き」を生じさせる隙間の小さなものとなる。これにより、揮散体４の動きを規制する効果を高めることができる。また、液状薬剤２の液面とともに浮上物５Ｃが上下動するので、浮上物５Ｃの位置を確認することで、液状薬剤２の残量を容易に把握できる。また、薬剤揮散器１を上から見る場合には、浮上物５Ｃがはっきりと見えるので、美観効果が高まる。
【００５２】
なお浮上物５Ｃが使用される場合には、揮散体４の周回り全体に浮上物５Ｃが接しないように、容器３内に投入する浮上物５Ｃの大きさや量を調整することが好ましい。このようにすれば、液状薬剤２を揮散体４の上端側部分に確実に吸い上げることができるので、薬剤揮散器１は、確実に薬剤２の揮散機能を発揮するものとなる。
【００５３】
また図６に示すように、固形物５が、沈下物５Ａ・浮遊物５Ｂ・浮上物５Ａのうちの２種以上から構成される場合には、揮散体４の様々な高さ位置で固形物５から揮散体４に力が加えられることで、揮散体４の動きを規制する効果を高めることができる。
【００５４】
以上、本発明の一実施形態について説明したが、本発明は上記実施形態に限定されるものではなく、その趣旨を逸脱しない限りにおいて、種々の変更が可能である。
【００５５】
例えば、容器３の内部に投入する固形物５の種類・大きさ・形状・数は、揮散体４の本数や、各揮散体４の長さ・太さ等に応じて適宜変更され得る。
【００５６】
また上記実施形態では、複数の揮散体４を容器３内に挿入する例を示したが、容器３内に挿入される揮散体４の本数は１本であってもよい。この場合でも、例えば揮散体４を垂直に立てることで、薬剤揮散器１の美観（インテリア性）を高めることができる。そして容器３から突出する揮散体４の上端側部分を長くすることで、容器３の外部に揮散する液状薬剤２の量を多くすることができる。したがって薬効も高めることができる。そして以上のようにする場合でも、揮散体４が固形物５に接するように揮散体４を容器３内に挿入すれば、固形物５によって揮散体４の動きが規制されるので、美観及び薬効が高まるように容器３に挿入した当初の揮散体４の形態を維持できる。
【符号の説明】
【００５７】
１  薬剤揮散器
２  液状薬剤
３  容器
４  揮散体
５  固形物
５Ａ  沈下物
５Ｂ  浮遊物
５Ｃ  浮上物
３０  開口
【図１】
2020103744.tif 000003
【図２】
2020103744.tif 000004
【図３】
2020103744.tif 000005
【図４】
2020103744.tif 000006
【図５】
2020103744.tif 000007
【図６】
2020103744.tif 000008